(57)【特許請求の範囲】
【請求項１】
着座部と内周側の内周部と外周側の外周部を有する着座部材と、該着座部材に接合される底壁部材と、前記着座部材の着座部の裏側に設けられた便座加熱手段と、前記着座部材及び前記底壁部材の間に形成される中空空間内にあり前記便座加熱手段を介して前記着座部材を支持する支持部材とを備えた暖房便座であって、
前記支持部材が、水平基部と、前記便座加熱手段に向かって上方に突出し前記便座加熱手段と対向する荷重支持部と、前記水平基部の最内周側から下方に垂れ下がり前記底壁部材と当接する垂下部と、前記垂下部から突出し前記内周部の前記中空空間側である内周側内壁と対向している内側方突出部とを有していることを特徴とする暖房便座。
【請求項２】
前記内側方突出部が、前記内周側内壁と周方向に線接触していることを特徴とする請求項１記載の暖房便座。
【請求項３】
前記支持部材が、前記外周部の前記中空空間側である外周側内壁と対向する外側方突出部を有し、
前記内側方突出部が、前記外側方突出部より下方に位置していることを特徴とする請求項１または請求項２に記載の暖房便座。
【発明の詳細な説明】
【技術分野】
【０００１】
本発明は、内部に支持部材を有する暖房便座に関する。
【背景技術】
【０００２】
従来、便座表面を形成する着座部材と、便座底面を形成する底壁部材の２部材から構成される便座を有し、着座部材の着座面の裏面に熱源となるヒーターが貼り付けられた暖房便座が知られている。
【０００３】
このような暖房便座において、使用者の便座への着座による荷重に耐えられるように、着座部材の下面に着座部材と離間対向する荷重支持体を有した荷重受け部を備えた便座構造がある（例えば、特許文献１参照）。
【先行技術文献】
【特許文献】
【０００４】
【特許文献１】特開２０１３−２３６６５３号公報
【発明の概要】
【発明が解決しようとする課題】
【０００５】
このような特許文献１に記載されている便座構造は、ヒーターからの発熱が底壁部材側に伝わることを抑制する断熱層の役割を果たす空気層を着座部材と荷重支持体との間に有しているが、それでも空気層へヒーターからの熱が逃げてしまうため、着座部材を効率よく加熱することができない。
【０００６】
そこで、本発明は、前述したような従来技術の問題を解決するものであって、すなわち、本発明の目的は、効率的に着座部材を加熱する暖房便座を提供することである。
【課題を解決するための手段】
【０００７】
本請求項１に係る発明は、着座部と内周側の内周部と外周側の外周部を有する着座部材と、該着座部材に接合される底壁部材と、前記着座部材の着座部の裏側に設けられた便座加熱手段と、前記着座部材及び前記底壁部材の間に形成される中空空間内にあり前記便座加熱手段を介して前記着座部材を支持する支持部材とを備えた暖房便座であって、前記支持部材が、水平基部と、前記便座加熱手段に向かって上方に突出し前記便座加熱手段と対向する荷重支持部と、前記水平基部の最内周側から下方に垂れ下がり前記底壁部材と当接する垂下部と、前記垂下部から突出し前記内周部の前記中空空間側である内周側内壁と対向している内側方突出部とを有していることにより、前述した課題を解決するものである。
【０００８】
本発明の暖房便座は、着座部材及び底壁部材の間で形成される中空空間内にあり便座加熱手段を介して着座部材を支持する支持部材を備えていることにより、着座時に着座部材が支持部材と当接する際に着座部にかかる荷重を支持部材が支持するため、支持部材がない場合と比べて着座に対する支持強度を増すことができるばかりでなく、以下のような特有の効果を奏することができる。
【０００９】
すなわち、本請求項１に係る発明の暖房便座によれば、支持部材が、内周部の中空空間側である内周側内壁と対向している内側方突出部とを有していることにより、中空空間の着座部材内周側が内側方突出部によって小分けに分割されるため、便座加熱手段による発熱のうち中空空間に逃げる熱が使用者と最も接触しやすい着座部材内周側で少なくなり、効率的に着座部材を加熱することができる。
【００１０】
本請求項２に係る発明は、請求項１に記載された暖房便座の構成に加えて、前記内側方突出部が、前記内周側内壁と周方向に線接触していることにより、前述した課題を解決するものである。
【００１１】
本請求項２に係る発明の暖房便座によれば、請求項１に係る発明が奏する効果に加えて、内側方突出部が、内周側内壁と周方向に線接触していることにより、広範囲にわたって上下方向に中空空間が二分されるため、温度差がある上下方向で発生する熱対流を抑制でき、使用者と最も接触しやすい着座部材内周側をさらに効率的に加熱することができる。
【００１２】
本請求項３に係る発明は、請求項１または請求項２に記載された暖房便座の構成に加えて、前記支持部材が、前記外周部の前記中空空間側である外周側内壁と対向する外側方突出部を有し、前記内側方突出部が、前記外側方突出部より下方に位置していることにより、前述した課題を解決するものである。
【００１３】
本請求項３に係る発明の暖房便座によれば、請求項１または請求項２に係る発明が奏する効果に加えて、内側方突出部が、外側方突出部より下方に位置していることにより、使用者と最も接触しやすい着座部材内周側において、より底壁部材の近くまで便座加熱手段を設ける空間が確保されるため、内側方突出部が外側方突出部より上方にある場合に比べて、使用者と最も接触しやすい着座部材内周側を効率的に加熱することができる。
【発明の効果】
【００１４】
本発明により、支持部材がない場合と比べて着座に対する支持強度を増すばかりでなく、便座加熱手段による発熱のうち中空空間に逃げる熱が使用者と最も接触しやすい着座部材内周側で少なくなり、効率的に着座部材を加熱することができる。
【図面の簡単な説明】
【００１５】
【図１】本発明の第１実施形態の暖房便座の外観斜視図。
【図２】図１のＡ−Ａ断面図。
【図３】図２の便座加熱手段の要部拡大図。
【図４】図２の便座内周側の要部拡大図。
【図５】図２の便座外周側の要部拡大図。
【発明を実施するための形態】
【００１６】
（第１実施形態）
以下に、本発明の第１実施形態である、暖房便座１００について、図１乃至図５に基づいて説明する。
【００１７】
図１は、本発明の第１実施形態の暖房便座１００の外観斜視図であり、使用者の臀部を暖める暖房便座１００は環状であり、大便器Ｔの前方に載置されている。
【００１８】
図２は、図１のＡ−Ａ断面図であり、暖房便座１００は着座部材１１０と底壁部材１２０とを備えている。
【００１９】
着座部材１１０は、使用者が着座する面を構成する着座部１１１と、この着座部１１１から滑らかに連続した着座部材１１０の側面を構成する側部（内周側の内周部１１２および外周側の外周部１１３）とを有しており、可撓性がある。
【００２０】
また、底壁部材１２０は、大便器Ｔと対向する底面部１２１と、内周部１１２の底面に設けられた略水平の内周側接合面１１２ａと対向する内周凸部１２２と、外周部１１３に設けられた略水平の外周側接合面１１３ａと対向する外周凸部１２３とを有している。
【００２１】
そして、内周側接合面１１２ａと内周凸部１２２、および外周側接合面１１３ａと外周凸部１２３がそれぞれ接合され、着座部材１１０と底壁部材１２０が接合されている。
これにより、着座部材１１０と底壁部材１２０と間に中空空間Ｖが形成されている。
【００２２】
さらに、着座部材１１０の着座部１１１の裏面にはそれ自体が加熱することで着座部１１１を介して使用者の臀部を加熱する便座加熱手段１３０が貼付されている。
【００２３】
便座加熱手段１３０の詳細な構成について、使用者が着座していない際の図２の便座加熱手段１３０における要部拡大図である図３により説明する。
【００２４】
便座加熱手段１３０は、線状の発熱体である線状発熱体１３１と、着座部１１１の裏側ほぼ全面に貼付されると共に線状発熱体１３１が敷設され、線状発熱体１３１が発した熱を着座部１１１の全域へと拡散する熱拡散シート１３３と、この熱拡散シート１３３と共に線状発熱体１３１を挟持する固定シート１３４とを備えている。
【００２５】
さらに、便座加熱手段１３０は、熱拡散シート１３３と固定シート１３４との間に、線状発熱体１３１の他に、断面形状が矩形のスペーサー１３２を後述する支持部材１４０の荷重支持部１４３から距離ｄｓだけ上方にさらに備えている。
【００２６】
つまり、熱拡散シート１３３及び固定シート１３４が、線状発熱体１３１及び線状発熱体１３１と異なる位置にあるスペーサー１３２を挟持している。
これにより、スペーサー１３２の熱拡散シート１３３からのはく離が抑制されると共にスペーサー１３２が位置決めされる。
【００２７】
そして、スペーサー１３２の高さＨｓが線状発熱体１３１の厚みＨｈより大きく、スペーサー１３２の幅Ｗｓが荷重支持部１４３の幅Ｗより大きい。
これにより、多少の組み付け誤差があったとしても、スペーサー１３２と荷重支持部１４３ａが対向する。
【００２８】
また、図２によれば、中空空間Ｖ内には、使用者が着座していない際に便座加熱手段１３０と離間対向しており、使用者の着座等により着座部１１１が撓んだ際に便座加熱手段１３０と当接し着座部１１１にかかる荷重を支持する支持部材１４０が設けられている。
これにより、着座時に着座部材１１０が支持部材１４０と当接する際に着座部１１１にかかる荷重を支持部材１４０が支持する。
【００２９】
支持部材１４０は、水平基部１４１と、複数の垂下部１４２（１４２ａ、１４２ｂ、１４２ｃ、１４２ｄ）と、荷重支持部１４３（荷重支持部１４３ａ、１４３ｂ）で構成されている。
【００３０】
水平基部１４１は、着座部１１１とほぼ平行に対向し着座部材１１０の内壁近傍まで延びる基部である。
【００３１】
垂下部１４２（１４２ａ、１４２ｂ、１４２ｃ、１４２ｄ）は、この水平基部１４１から下方に垂れ下がり底壁部材１２０と当接する。
そして、垂下部１４２ａは水平基部１４１の最内周側から垂下しており、垂下部１４２ｄは水平基部１４１の最外周側から垂下している。
また、垂下部１４２ｂ、１４２ｃは垂下部１４２ａと垂下部１４２ｂの間で水平基部１４１から垂下しており、垂下部１４２ｂが垂下部１４２ｃより内周側に位置している。
なお、垂下部１４２の数は図に限定されるものではなく、４つ未満であっても良いし、５つ以上であってもよい。
【００３２】
荷重支持部１４３（１４３ａ、１４３ｂ）は、水平基部１４１から上方に立ち上がり使用者が着座していない際に便座加熱手段１３０と対向して便座加熱手段１３０に向かって上方に突出すると共に着座部材１１０からの荷重を支持する。
なお、荷重支持部１４３は便座加熱手段１３０と対向していれば、接触していてもよいし、離間対向していてもよい。
荷重支持部１４３が便座加熱手段１３０と離間対向している場合において、着座部材１１０の変形により着座部１１１が撓み、着座部１１１が座加熱手段１３０を介して荷重支持部１４３と接触した際には、荷重支持部１４３は着座部１１１にかかる荷重を支持する。
また、荷重支持部１４２の数は図に限定されるものではなく、２つ未満であっても良いし、３つ以上であってもよい。
【００３３】
次に、図４および図５により、さらに支持部材１４０の詳細な構造について説明する。
図４は、図２の便座内周側の要部拡大図であり、図５は、図２の便座外周側の要部拡大図である。
【００３４】
支持部材１４０は、さらに、複数の垂下部１４２のうちで最も内周側にある垂下部１４２ａの上下方向のほぼ中央から着座部材１１０の中空空間Ｖ側の内周側内壁１１４に向かって突出し、内周側内壁１１４および便座加熱手段１３０の内周部１１２と接触している内側方突出部１４４も有している。
なお、内側方突出部１４４は、内周部１１２と接触していてもよい。
これにより、中空空間Ｖの着座部材１１０の内周側が内側方突出部１４４によって小分けに分割される。
【００３５】
また、内側方突出部１４４の下端は内周側接合面１１２ａより上方に位置している。
これにより、着座部材１１０と底壁部材１２０とを振動溶着により接合する場合に着座部材１１０を支持部材１４０が支持している構造になるため、接着強度を強くするために振動溶着における振幅を大きくしたとしても耐えることができる。
【００３６】
また、内側方突出部１４４は、着座部材１１０の内周側内壁１１４と周方向に全周に渡って線接触している。
これにより、広範囲にわたって上下方向に中空空間Ｖが二分される。
【００３７】
さらに、支持部材１４０は、複数の垂下部１４２のうちで最も外周側にある垂下部１４２ｄの上端から着座部材１１０の中空空間Ｖ側の外周側内壁１１５側に突出し、外周側内壁１１５と周方向に全周に渡って線接触している外側方突出部１４５も有している。
【００３８】
内側方突出部１４４が全周に渡って内周部１１２と当接していると共に、外側方突出部１４５が全周に渡って外周部１１３と線接触していることにより、着座部材１１０と底壁部材１２０とを振動溶着により接合する場合に着座部材１１０を支持部材１４０が支持している構造になるため、接着強度を強くするために振動溶着における振幅を大きくしたとしても耐えることができる。
加えて、中空空間Ｖを上下方向に二分されるため、何らかの事象により中空空間Ｖ内に水が浸入したとしても、電装部品である便座加熱手段１２０がある中空空間Ｖの上部への水の浸入を抑制するため、便座加熱手段１２０が漏電する恐れを抑制することができる。
【００３９】
そして、内側方突出部１４４が、外側方突出部１４５より下方である底壁部材１２０側に位置している。
これにより、使用者と最も接触しやすい着座部材１１０の内周側において、より底壁部材１２０の近くまで便座加熱手段１３０を設ける空間が確保される。
【００４０】
このようにして得られた本実施形態の暖房便座１００は、着座部材１１０及び底壁部材１２０の間で形成される中空空間Ｖ内にあり便座加熱手段１３０を介して着座部材１１０を支持する支持部材１４０を備えているため、支持部材１４０がない場合と比べて着座に対する支持強度を増すばかりでなく、支持部材１４０が、内周部１１２の中空空間Ｖ側である内周側内壁１１４と対向している内側方突出部１４４とを有しているため、便座加熱手段１３０による発熱のうち中空空間Ｖに逃げる熱が使用者と最も接触しやすい着座部材内周側で少なくなり、効率的に着座部材１１０を加熱することができる。
【００４１】
また、内側方突出部１４４が、内周側内壁１１４と周方向に線接触しているため、温度差がある上下方向で発生する熱対流を抑制でき、使用者と最も接触しやすい着座部材内周側をさらに効率的に加熱することができる。
【００４２】
また、内側方突出部１４４が、外側方突出部１４５より下方に位置しているため、内側方突出部１４４が外側方突出部１４５より上方にある場合に比べて、使用者と最も接触しやすい着座部材内周側を効率的に加熱することができる。
【００４３】
（変形例）
以上、本発明を実施するための形態について説明したが、本発明は上記に限定されるものではない。
本発明は、着座部と内周側の内周部と外周側の外周部を有する着座部材と、該着座部材に接合される底壁部材と、前記着座部材の着座部の裏側に設けられた便座加熱手段と、前記着座部材及び前記底壁部材の間に形成される中空空間内にあり前記便座加熱手段を介して前記着座部材を支持する支持部材とを備えた暖房便座であって、前記支持部材が、前記便座加熱手段に向かって上方に突出し前記便座加熱手段と対向する荷重支持部と、前記内周部の前記中空空間側である内周側内壁と対向している内側方突出部とを有しているものであり、支持部材がない場合と比べて着座に対する支持強度を増すばかりでなく、便座加熱手段による発熱のうち中空空間に逃げる熱が使用者と最も接触しやすい着座部材内周側で少なくなり、効率的に着座部材を加熱することができる。
【００４４】
また、暖房便座の外観を形成する着座部材および底壁部材の材質は、ポリプロピレン樹脂やＡＢＳ樹脂等の射出成型することが可能なものであれば、如何なるものであってもよい。
また、着座部材と底壁部材との材質は同じである必要はない。
【００４５】
また、着座部材と底壁部材の接合方法については、本実施形態では振動溶着を用いているが、接合方法が振動溶着に限定されるものではなく、たとえばスナップフィット（掛合）を用いてもよいし、着座部材と底壁部材との境界面に樹脂を充填させて両者を接合させてもよい。
【００４６】
また、熱拡散シートの材質は、アルミニウム、銅など熱伝導率が高く、成型性に優れているものであれば、如何なるものであっても構わない。
【００４７】
また、固定シートの材質については、難燃性の材質であれば如何なるものであってもよく、熱拡散シートと同じ材質であってもよい。
【００４８】
そして、前述した各実施形態が備える各要素は、技術的に可能である限り組み合わせることができ、これらを組み合わせたものも本発明の特徴を含む限り本発明の範囲に包含される。
【符号の説明】
【００４９】
１００  ・・・  暖房便座
１１０  ・・・  着座部材
１１１  ・・・  着座部
１１２  ・・・  内周部
１１２ａ・・・  内周側接合面
１１３  ・・・  外周部
１１３ａ・・・  外周側接合面
１１４  ・・・  内周側内壁
１１５  ・・・  外周側内壁
１２０  ・・・  底壁部材
１２１  ・・・  底面部
１２２  ・・・  内周凸部
１２３  ・・・  外周凸部
１３０  ・・・  便座加熱手段
１３１  ・・・  線状発熱体
１３２  ・・・  スペーサー
１３３  ・・・  熱拡散シート
１３４  ・・・  固定シート
１４０  ・・・  支持部材
１４１  ・・・  水平基部
１４２  ・・・  垂下部
１４２ａ・・・  垂下部
１４２ｂ・・・  垂下部
１４２ｃ・・・  垂下部
１４２ｄ・・・  垂下部
１４３  ・・・  荷重支持部
１４３ａ・・・  荷重支持部
１４３ｂ・・・  荷重支持部
１４４  ・・・  内側方突出部
１４５  ・・・  外側方突出部
Ｔ    ・・・  大便器
Ｖ    ・・・  中空空間
ｄｈ  ・・・  スペーサーと線状発熱体との距離
ｄｓ  ・・・  スペーサーと荷重支持部との距離
Ｈｈ  ・・・  線状発熱体の厚み
Ｈｓ  ・・・  スペーサーの高さ
Ｗ    ・・・  支持部材の幅
Ｗｓ  ・・・  スペーサーの幅
【図１】
0006395105.tif 000002
【図２】
0006395105.tif 000003
【図３】
0006395105.tif 000004
【図４】
0006395105.tif 000005
【図５】
0006395105.tif 000006